(57)【要約】【課題】室内照明の調光、調色を撮影時に自動的に制御可能な撮像装置を提供する。【解決手段】制御部１１は、撮影時に、撮像装置１０側で設定するカメラ条件を設定するとともに、所定の制御装置から送信される所定の制御信号により照明状態を遠隔操作することが可能な外部照明機器２０（室内照明機器）に対して、同じ種類の制御信号を用い、外部照明機器２０（室内照明機器）側で設定すべき照明条件に対応する制御信号を送信することで、その照明状態を撮影用の照明状態に変更する。【選択図】図２
2014197162.tif 000002
【特許請求の範囲】
【請求項１】
撮像手段を備えた撮像装置であって、
前記撮像手段による撮影を行う際の撮影条件を設定する設定手段と、
任意に設定された照明状態で室内を定常的に照らすことが可能であり、所定の制御装置から送信される所定の制御信号により照明状態を遠隔操作することが可能な室内照明機器に対し、前記所定の制御装置から送信される前記所定の制御信号と同じ種類の制御信号を送信する送信手段と、
を備え、
前記設定手段は、前記撮像手段による撮影を行う前に前記送信手段により前記所定の制御信号を送信させることで、それ以前に設定されていた前記室内照明機器の室内用の照明状態を撮影用の照明状態に変更することを特徴とする撮像装置。
【請求項２】
撮影専用の発光手段の発光を制御する発光制御手段を更に備え、
前記設定手段は、前記撮像手段による撮影を行う際の撮影条件として、前記送信手段により制御される前記室内照明機器の照明状態と、前記発光制御手段により制御される前記撮影専用の発光手段の発光の有無を設定することを特徴とする請求項１記載の撮像装置。
【請求項３】
前記設定手段は、非撮影時に設定されている前記室内照明機器の室内用の照明状態を、前記撮像手段による撮影時に一時的に撮影用の照明状態に変更した後、再び室内用の照明状態に戻すことを特徴とする請求項１または２記載の撮像装置。
【請求項４】
前記送信手段により照明状態を制御可能な室内照明機器の有無を判断する第１の判断手段と、
前記設定手段は、前記第１の判断手段の判断結果に応じて撮影条件を設定することを特徴とする請求項１〜３のいずれか１項記載の撮像装置。
【請求項５】
前記送信手段が送信した制御信号に応答して室内照明機器の照明状態が変化したか否かを判断する第２の判断手段と、
前記設定手段は、前記第２の判断手段の判断結果に応じて撮影条件を設定することを特徴とする請求項１〜４のいずれか１項記載の撮像装置。
【請求項６】
前記送信手段が送信した制御信号に応答して変化した室内照明機器の照明状態を特定する照明状態特定手段と、
前記設定手段は、前記照明状態特定手段により特定された照明状態に応じて撮影条件を設定することを特徴とする請求項１〜５のいずれか１項記載の撮像装置。
【請求項７】
前記送信手段は、照明状態を制御するための制御信号の種類が異なる複数の室内照明機器に対応して、複数種類の制御信号を送信可能であることを特徴とする請求項１〜６のいずれか１項記載の撮像装置。
【請求項８】
周囲に存在する室内照明機器が対応する制御信号の種類を特定する種類特定手段を更に備え、
前記送信手段は、前記種類特定手段により特定された種類の制御信号を送信することを特徴とする請求項７記載の撮像装置。
【請求項９】
前記種類特定手段により特定された種類の制御信号を前記送信手段により送信可能か否かを判断する第３の判断手段を更に備え、
前記設定手段は、前記第３の判断手段の判断結果に応じて撮影条件を設定する送信することを特徴とする請求項８記載の撮像装置。
【請求項１０】
室内照明機器の照明特性を特定する特性特定手段を更に備え、
前記設定手段は、前記特性特定手段により特定された照明特性に応じて撮影条件を設定することを特徴とする請求項１〜９のいずれか１項記載の撮像装置。
【請求項１１】
前記特性特定手段は、前記照明特性として、室内照明機器により調整可能な照明状態の調整範囲を特定し、
前記設定手段は、前記特性特定手段により特定された調整範囲に応じて撮影条件を設定することを特徴とする請求項１０記載の撮像装置。
【請求項１２】
前記特性特定手段は、照明の強度の調整範囲および照明の色合いの調整範囲を特定することを特徴とする請求項１１記載の撮像装置。
【請求項１３】
前記設定手段は、前記発光手段の発光の色合いに対応する色合いとなるように前記室内照明機器の照明の色合いを設定することを特徴とする請求項２記載の撮像装置。
【請求項１４】
前記設定手段は、前記室内照明機器の照明の強度に応じて、前記発光手段の発光の強度を設定することを特徴とする請求項２記載の撮像装置。
【請求項１５】
前記送信手段が制御信号を送信する前に設定されていた前記室内照明機器の室内用の照明状態を取得する照明状態取得手段を更に備え、
前記設定手段は、前記室内照明機器の照明状態を前記撮影用の照明状態に変更した後、前記照明状態取得手段により取得された室内用の照明状態に戻すことを特徴とする請求項１〜１４のいずれか１項記載の撮像装置。
【請求項１６】
前記撮影条件には、撮像装置側で設定するカメラ条件と、前記室内照明機器側で設定する照明条件とが含まれ、
前記設定手段は、複数の撮影シーンの一つを選択することで、選択された撮影シーンに対応する撮影条件に含まれるカメラ条件を撮像装置側に設定するとともに、当該撮影条件に含まれる照明条件に対応する制御信号を前記送信手段により室内照明機器に送信する
ことを特徴とする請求項１〜１５のいずれか１項記載の撮像装置。
【請求項１７】
前記設定手段は、複数の撮影シーンの各々に対応させて、カメラ条件と照明条件を含む複数の撮影条件を予め記憶し、この記憶されている複数の撮影シーンの一つを選択することで、選択された撮影シーンに対応して記憶されている撮影条件に含まれるカメラ条件と照明条件を設定することを特徴とする請求項１６記載の撮像装置。
【請求項１８】
前記設定手段により選択された撮影シーンに対応する撮影条件を設定する際に、前記送信手段が制御信号を送信することにより前記室内照明機器側で設定された照明条件または設定可能であると予測される照明条件を撮像装置側で設定するカメラ条件に反映させる制御を行う制御手段を更に備えることを特徴とする請求項１６または１７記載の撮像装置。
【請求項１９】
前記制御手段は、前記設定手段により選択された撮影シーンに対応する撮影条件を設定する際に、前記送信手段が制御信号を送信することにより前記室内照明機器側で設定された照明条件または設定可能であると予測される照明条件が、選択された撮影シーンに対応する撮影条件に含まれる照明条件と一致するか否かに応じて、選択された撮影シーンに対応する撮影条件に含まれるカメラ条件を調整することを特徴とする請求項１８記載の撮像装置。
【請求項２０】
前記設定手段は、所定の撮影シーンに対応する撮影条件として、前記送信手段が制御信号を送信することにより前記室内照明機器の照明制御が可能な場合の第１カメラ条件と、前記送信手段が制御信号を送信することにより前記室内照明機器の照明制御が不可能な場合の第２カメラ条件を予め記憶し、
前記制御手段は、前記設定手段により選択された撮影シーンに対応する撮影条件を設定する際に、前記送信手段が制御信号を送信することにより前記室内照明機器側で設定された照明条件または設定可能であると予測される照明条件が、選択された撮影シーンに対応する撮影条件に含まれる照明条件と一致する場合は前記第１カメラ条件を選択し、一致しない場合は前記第２カメラ条件を選択することでカメラ条件を調整することを特徴とする請求項１９記載の撮像装置。
【請求項２１】
前記設定手段は、
前記撮影シーンの１回の選択で、前記カメラ条件と前記照明条件とを同時に設定することを特徴とする請求項１６〜２０のいずれか１項記載の撮像装置。
【請求項２２】
前記設定手段は、
前記照明条件として、前記室内照明機器の調光状態、あるいは調色状態、またはその両方を設定することを特徴とする請求項１６〜２１のいずれか１項記載の撮像装置。
【請求項２３】
前記カメラ条件は、
少なくとも、露出調整およびホワイトバランス調整を含むことを特徴とする請求項１６〜２２のいずれか１項記載の撮像装置。
【請求項２４】
前記制御手段は、
撮影の結果に対して同様の効果を与える前記カメラ条件と前記照明条件について、前記撮影シーンが選択されると、前記室内照明機器が、前記照明条件を変更可能な状態にあるか否かに応じて、前記カメラ条件と前記照明条件のいずれを変化させるかを選択する制御を行うことを特徴とする請求項１６〜２３のいずれか１項記載の撮像装置。
【請求項２５】
前記制御手段は、
前記室内照明機器に制御信号を送信したにもかかわらず所望の照明状態の変更に失敗した場合、前記照明条件を変化させる代わりに前記カメラ条件を変化させる制御を行うことを特徴とする請求項２４記載の撮像装置。
【請求項２６】
前記照明状態を検出する検出手段を更に備え、
前記制御手段は、
前記検出手段によって検出された照明状態と、前記照明条件とを比較して前記照明状態の変更に失敗したか否かを判定することを特徴とする請求項２５記載の撮像装置。
【請求項２７】
前記制御手段は、
前記室内照明機器の照明状態を前記照明条件に設定するための制御信号の送信に応答して前記外部照明機器から送信される前記制御の成功を示す信号を受信したか否かによって前記照明状態の変更に失敗したか否かを判定することを特徴とする請求項２５記載の撮像装置。
【請求項２８】
前記制御手段は、
被写体の形状にあわせた外部光源の反射状態を再現するのが好ましい撮影シーンについては、他の撮影シーンよりも照明条件を優先的に変化させて撮影条件を所望の状態に制御することを特徴とする請求項１６〜２７のいずれか１項記載の撮像装置。
【請求項２９】
撮像手段を備えた撮像装置における撮影条件設定方法であって、
前記撮像手段による撮影を行う際の撮影条件を設定する設定処理と、
任意に設定された照明状態で室内を定常的に照らすことが可能であり、所定の制御装置から送信される所定の制御信号により照明状態を遠隔操作することが可能な室内照明機器に対し、前記所定の制御装置から送信される前記所定の制御信号と同じ種類の制御信号を送信する送信処理と、
を備え、
前記設定処理は、前記撮像手段による撮影を行う前に前記送信処理により前記所定の制御信号を送信させることで、それ以前に設定されていた前記室内照明機器の室内用の照明状態を撮影用の照明状態に変更することを特徴とする撮影条件設定方法。
【請求項３０】
撮像手段を備えた撮像装置のコンピュータを、
前記撮像手段による撮影を行う際の撮影条件を設定する設定手段と、
任意に設定された照明状態で室内を定常的に照らすことが可能であり、所定の制御装置から送信される所定の制御信号により照明状態を遠隔操作することが可能な室内照明機器に対し、前記所定の制御装置から送信される前記所定の制御信号と同じ種類の制御信号を送信する送信手段と、
して機能させ、
前記設定手段は、前記撮像手段による撮影を行う前に前記送信手段により前記所定の制御信号を送信させることで、それ以前に設定されていた前記室内照明機器の室内用の照明状態を撮影用の照明状態に変更することを特徴とするプログラム。
【発明の詳細な説明】
【技術分野】
【０００１】
本発明は、照明条件を含む撮影条件を設定して撮影を行う、撮像装置に関する。
【背景技術】
【０００２】
従来、例えば、デジタルカメラでは、シャッタースピード、絞り値といった各種撮影条件は、自動的に設定され、あるいは撮影者の好みに応じて手動で設定できるようになっている。また、例えば、特許文献１には、ポートレート、風景、夜景といった被写体の種別に適した撮影条件を自動的に設定する複数の撮影モードが予め用意され、かかる撮影モードを事前に撮影者に選択させることにより、シャッタースピード、絞り値等の専門的な知識を持たない初心者等であっても、より適切な撮影条件が設定できるようにしたカメラ装置が開示されている。この撮影条件に、照明灯、撮影時の環境光が及ぼす影響は大きいが、特許文献１のカメラ装置では、撮影時に照明灯や環境光を制御することはできない。
【０００３】
また、例えば、特許文献２には、撮影時に、写真スタジオに設置された専用の照明灯の照明状態を調整して、色合いの良好な写真を簡単に撮影可能な写真用照明装置が開示されている。
【先行技術文献】
【特許文献】
【０００４】
【特許文献１】特開２００２−１０１３４号公報
【特許文献２】特開２００６−２２７１５４号公報
【発明の概要】
【発明が解決しようとする課題】
【０００５】
ところで、近年、特許文献２のような専用の照明装置を用いることなく調色、調光が可能なＬＥＤ（Light  Emitted  Diode）等の汎用的な室内照明が普及し、また、無線ＬＡＮ（Local  Area  Network）対応の照明システムも出現するに至った。したがって、ＰＣやスマートフォン等の操作端末があれば、その室内照明光を監視し、あるいは調光、調色を制御することが可能になった。しかしなから、このような汎用的な室内照明が普及した状況にあっても、撮影時に、照明条件を含む撮影条件を容易に設定することはできなかった。
【０００６】
本発明は上記した課題を解決するためになされたものであり、撮影時に、照明条件を含む撮影条件を容易に設定することが可能な撮像装置を提供することを目的とする。
【課題を解決するための手段】
【０００７】
上記した課題を解決するために本発明の第１の観点に係る発明は、撮像手段を備えた撮像装置であって、前記撮像手段による撮影を行う際の撮影条件を設定する設定手段と、任意に設定された照明状態で室内を定常的に照らすことが可能であり、所定の制御装置から送信される所定の制御信号により照明状態を遠隔操作することが可能な室内照明機器に対し、前記所定の制御装置から送信される前記所定の制御信号と同じ種類の制御信号を送信する送信手段と、を備え、前記設定手段は、前記撮像手段による撮影を行う前に前記送信手段により前記所定の制御信号を送信させることで、それ以前に設定されていた前記室内照明機器の室内用の照明状態を撮影用の照明状態に変更することを特徴とする撮像装置である。
【０００８】
本発明の第２の観点に係る発明は、撮像手段を備えた撮像装置における撮影条件設定方法であって、前記撮像手段による撮影を行う際の撮影条件を設定する設定処理と、任意に設定された照明状態で室内を定常的に照らすことが可能であり、所定の制御装置から送信される所定の制御信号により照明状態を遠隔操作することが可能な室内照明機器に対し、前記所定の制御装置から送信される前記所定の制御信号と同じ種類の制御信号を送信する送信処理と、を備え、前記設定処理は、前記撮像手段による撮影を行う前に前記送信処理により前記所定の制御信号を送信させることで、それ以前に設定されていた前記室内照明機器の室内用の照明状態を撮影用の照明状態に変更することを特徴とする撮影条件設定方法である。
【０００９】
本発明の第３の観点に係る発明は、撮像手段を備えた撮像装置のコンピュータを、前記撮像手段による撮影を行う際の撮影条件を設定する設定手段と、任意に設定された照明状態で室内を定常的に照らすことが可能であり、所定の制御装置から送信される所定の制御信号により照明状態を遠隔操作することが可能な室内照明機器に対し、前記所定の制御装置から送信される前記所定の制御信号と同じ種類の制御信号を送信する送信手段と、して機能させ、前記設定手段は、前記撮像手段による撮影を行う前に前記送信手段により前記所定の制御信号を送信させることで、それ以前に設定されていた前記室内照明機器の室内用の照明状態を撮影用の照明状態に変更することを特徴とするプログラムである。
【発明の効果】
【００１０】
本発明によれば、撮影時に、照明条件を含む撮影条件を容易に設定することが可能な撮像装置を提供することができる。
【図面の簡単な説明】
【００１１】
【図１】本発明の第１実施形態による撮像装置と照明光との関係を示す図である。
【図２】本発明の第１実施形態による撮像装置の構成を示すブロック図である。
【図３】本発明の第１実施形態による撮像装置で使用される撮影シーン−撮影条件対応テーブルのデータ構造の一例を示す図である。
【図４】本発明の第１実施形態による撮像装置の動作を示すフローチャートである。
【図５】本発明の変形例による撮像装置の動作を示すフローチャートである。
【発明を実施するための形態】
【００１２】
以下、添付図面を参照して、本発明を実施するための形態（以下、本実施形態という）について詳細に説明する。なお、本実施形態の説明の全体を通して同じ要素には同じ番号を付している。
【００１３】
Ａ．第１実施形態
（第１実施形態の構成）
図１に示すように、本実施形態による撮像装置１０は、赤外線（IR）、電磁波（RF）、Ｂｌｕｅ−Ｔｏｏｔｈ（登録商標）や無線ＬＡＮ、あるいはＷｉ−Ｆｉ（Wi-Fi  Allianceによる相互接続性の認定の名称）等の近距離無線通信のためのアダプタ（後述する近距離無線通信部１６）を内蔵する。また、外部照明機器２０（室内照明機器）も同様に近距離無線通信機能を有し、撮像装置１０とのの間で近距離無線通信３０により双方向通信を行う。この外部照明機器２０（室内照明機器）は、家の天井などに取り付けられて室内を定常的に照らすことが可能な室内用の照明機器であり、通常は、調光用のリモコン装置から近距離無線通信３０により送信される所定の制御信号により照明状態を遠隔操作することが可能である。そして、この外部照明機器２０（室内照明機器）は、リモコン装置から送信される制御信号によって任意に設定された照明状態を、再びリモコン装置から制御信号が送信されるまでの間、維持する。第１実施形態では、撮像装置１０と外部照明機器２０（室内照明機器）との間で双方向通信を行うことを想定しているので、外部照明機器２０（室内照明機器）は、双方向通信が可能なＢｌｕｅ−Ｔｏｏｔｈ（登録商標）や無線ＬＡＮ、あるいはＷｉ−Ｆｉ等の近距離無線通信機能を備えているものとする。
【００１４】
撮像装置１０は、複数の撮影シーンの一つを選択することで、選択された撮影シーンに対応する撮影条件を設定し、設定された撮影条件にしたがって撮影を行う、例えば、デジタルカメラである。ここで、撮影条件には、撮像装置１０側で設定するカメラ条件と、外部照明機器２０側で設定する照明条件とが含まれる。撮像装置１０は、外部照明機器２０との間の通信により取得される、外部照明機器２０側で設定された照明条件を装置（撮像装置１０）側での撮影条件に反映させる制御を行う。詳細は後述する。なお、複数の撮影シーンの一つを選択することで、選択された撮影シーンに対応する撮影条件を設定し、設定された撮影条件にしたがって撮影を行う撮像装置１０の詳細は、出願人によって既に出願されており、例えば、特開２００２−１０１３４号公報により周知である。
【００１５】
図２は、本実施形態による撮像装置１０の内部構成を示すブロック図である。本実施形態による撮像装置１０は、制御部１１と、記憶部１２と、撮像部１３と、表示部１４と、操作部１５と、近距離無線通信部１６と、照度センサ１７と、電源部１８とが、アドレス、データ、コントロールのための信号線が複数本で構成されるバス１９に共通接続され、構成される。撮像装置１０は、静止画像の他に動画像の撮影も可能な、例えば、デジタルカメラであり、制御部１１を中核として動作する。
【００１６】
制御部１１は、二次電池からなる電源部１８からの電力供給によって動作し、記憶部１２に記録された各種のプログラムにしたがい撮像装置１０の全体動作を制御するもので、制御部１１には図示しないＣＰＵ（中央演算処理装置）や内蔵メモリなどが設けられている。制御部１１は、後述する撮像部１３を制御することにより、例えば、露出調整処理（ＡＥ処理）、あるいは撮像部１３からの画像データに対して各種の画像処理としてホワイトバランス調整、色補間処理等を実行し、また、画像処理として収差補正処理、画像をＪＰＥＧ（Joint  Photographic  Experts  Group）形式などの大きさに圧縮する圧縮処理、この圧縮データを伸長復元する復元処理等を実行する。
【００１７】
制御部１１は、複数の撮影シーンの一つを選択することで、選択された撮影シーンに対応する撮影条件を設定し、外部照明機器２０に対し、この外部照明機器２０の照明状態を任意に設定するための制御信号を送信する。撮影条件には、撮像装置１０側で設定するカメラ条件と、外部照明機器２０側で設定する照明条件とが含まれており、制御部１１は、複数の撮影シーンの一つを選択することで、選択された撮影シーンに対応する撮影条件に含まれるカメラ条件を撮像装置１０側に設定するとともに、当該撮影条件に含まれる照明条件に対応する制御信号を外部照明機器２０に送信する。
【００１８】
ここで、「撮影条件」とは、外部照明機器２０の照明制御が可能な場合と不可能な場合における、「カメラ条件」と、「照明条件」をいう。「カメラ条件」とは、本実施形態による撮像装置１０の撮影条件を示す設定データであり、図３の撮影シーン−撮影条件対応テーブル１２ａに一例として示すように、露出（明るさ調整）、ホワイトバランス（色合い調整）の他に、フォーカス制御、シャッタースピード、感度等、撮像装置１０において制御可能な制御項目の制御内容を示すパラメータにより構成されている。また、「照明条件」とは、外部照明機器２０による撮影条件を示す設定データであり、外部照明機器２０において制御可能な制御項目の制御内容を示すパラメータである、調光状態、調色状態である。
【００１９】
このため、制御部１１は、複数の撮影シーンの一つを選択することで、選択された撮影シーンに対応する撮影条件を設定する設定手段と、外部照明機器２０に対し、この外部照明機器２０の照明状態を任意に設定するための制御信号を送信する外部照明制御手段、として機能する。制御部１１は、複数の撮影シーンの各々に対応させて、カメラ条件と照明条件を含む複数の撮影条件を予め記憶し、この記憶されている複数の撮影シーンの一つを選択することで、選択された撮影シーンに対応して記憶されている撮影条件に含まれるカメラ条件と照明条件を設定する。具体的に、制御部１１は、後述する記憶部１２の所定の領域に記憶された、図３にそのデータ構造の一例を示す撮影シーン−撮影条件対応テーブル１２ａにしたがい、表示部１４に選択可能に一覧表示された複数の見本画像または説明文に対する撮影者の選択操作に応じて撮影条件として設定する。
【００２０】
制御部１１は、選択された撮影シーンに対応する撮影条件を設定する際に、外部照明機器２０側で設定された照明条件または設定可能であると予測される照明条件を撮像装置２０側で設定するカメラ条件に反映させる制御手段としても機能する。制御部１１は、選択された撮影シーンに対応する撮影条件を設定する際に、外部照明機器２０側で設定された照明条件または設定可能であると予測される照明条件が、選択された撮影シーンに対応する撮影条件に含まれる照明条件と一致するか否かに応じて、選択された撮影シーンに対応する撮影条件に含まれるカメラ条件を調整する。
【００２１】
制御部１１は、撮影シーンの１回の選択で、撮影条件と照明条件とを同時に変化させる制御を行なう。このとき、制御部１１は、外部照明機器２０の調光状態、あるいは調色状態、またはその両方を撮影条件に反映させる制御を行なう。ここで、撮影条件は、少なくとも、露出調整（明るさ調整）、およびホワイトバランス調整（色合い調整）を含む。
【００２２】
制御部１１は、撮影の結果に対して同様の効果を与える撮影条件と照明条件について、撮影シーンが選択されると、外部照明機器２０が、照明条件を変更可能な状態にあるか否かに応じて、撮影条件と照明条件のいずれを変化させるかを選択する制御を行なう。すなわち、例えば、外部照明機器２０側で照明条件が変化できなかった場合に撮像装置１０側で補う必要があるため、その分だけ照明条件を変化させる制御を行う。具体的には、制御部１１が、外部照明機器２０に対して上記の制御信号を送信したにもかかわらず、所望の照明状態の変更に失敗した場合、照明条件を変化させる代わりに撮影条件を変化させる制御を行なう。なお、撮像装置１０は、例えば、照度センサ１７等、照明状態を検出する検出手段を更に備え、制御部１１は、照度センサ１７等によって検出された照明状態と、照明条件とを比較して照明状態の変更に失敗したか否かを判定してもよい。
【００２３】
制御部１１は、外部照明機器２０の照明状態を照明条件に設定するための制御信号の送信に応答して外部照明機器から送信される制御の成功を示す信号を受信したか否かによって照明状態の変更に失敗したか否かを判定してもよい。また、制御部１１は、被写体の形状にあわせた外部光源の反射状態を再現するのが好ましい撮影シーンについいては、他の撮影シーンよりも照明条件を優先的に変化させて撮影条件を所望の状態に制御してもよい。
【００２４】
記憶部１２は、例えば、ＲＯＭ、フラッシュメモリなどを有する構成で、例えば、図４に示したフローチャート（処理手順）からなる本実施形態によるプログラムや、後述する撮影シーン−撮影条件対応テーブル１２ａ等がプログラム領域に割り当てられて格納されている。記憶部１２には、更に、撮像済み画像を保存する画像記憶領域の他、後述するフラグ等を一時的に記憶するワーク領域と、を有する構造になっている。なお、記憶部３は、例えば、ＳＤカード、ＩＣカードなど、着脱自在な可搬型メモリ（記録メディア）を含む構成であってもよい。
【００２５】
撮影シーン−撮影条件対応テーブル１２ａのデータ構造の一例が図３に示されている。撮影シーン−撮影条件対応テーブル１２ａは、撮影シーン（食べ物、文字（紙面）、文字（ホワイトボード）、人物（瞳検出）、人物（寝顔検出）、キャンドルライト、セピア）毎に、見本画像または説明文、撮影条件に関するデータを含み構成される。ここで、「見本画像または説明文」は、撮影シーン毎に適した被写体の見本となる画像、およびその付加データである。
【００２６】
撮像部１３は、被写体を高精細に撮影可能なカメラ部を構成するもので、光学レンズ、絞り、撮像素子を有し、光学レンズから絞りを通して撮像素子に結像される被写体を撮像する。絞りは、光学レンズと結像面の撮像素子との間に配置され、複数枚の板（絞り羽根）を重ね合わせて円形に近い開口部を有する構成となっている。撮像素子は、ＣＣＤやＣＭＯＳなどのイメージセンサである。この撮像部１３には、光学レンズ、絞り、撮像素子の他、図示省略したが、光学系駆動部、照明用のストロボ（撮影専用の発光手段）、アナログ処理回路、信号処理回路などが備えられている。絞り及び撮像素子は、光軸の垂直方向に対して平行に移動可能となっており、絞り及び撮像素子を平行移動させる駆動機構（図示省略）にそれぞれ連結されている。
【００２７】
表示部１４は、例えば、高精細ＬＣＤ（Liquid  Crystal  Device：液晶）ディスプレイ、有機ＥＬ（Electro  Luminescence）ディスプレイ、電気泳動型ディスプレイ（電子ペーパ）のいずれかを使用し、画像を高精細に表示するもので、撮像された画像（スルー画像：ライブビュー画像）を表示するファインダ画面（モニタ画面）として機能し、あるいは保存済み画像を表示する再生画面として機能する。なお、この表示部１４の表面に指の接触を検出する透明なタッチパネルを積層配設することにより、例えば、静電容量方式のタッチスクリーン（タッチ画面）を構成するようにしてもよい。
【００２８】
操作部１５は、図示省略したが、シャッタ操作、露出やシャッタースピードなどの撮影条件の設定操作、撮影済み画像の再生を指示する再生操作などを行う押しボタン式の各種のキーを備えたもので、制御部１１は、この操作部１５からの入力操作信号に応じた処理として、例えば、撮影処理、撮影条件の設定、再生処理、データ入力処理などを実行する。
【００２９】
近距離無線通信部１６は、無線通信を利用してデータの送受信を行う通信アダプタであり、外部照明機器２０（室内照明機器）が有する近距離無線通信機能と同じ種類の通信媒体や通信プロトコルでの通信が可能である。ここでは、外部照明機器２０（室内照明機器）と近距離無線通信部１６の双方が、ＩＥＥＥ８０２．１１規格に従うプロトコルで無線によるデータ通信を行うものであり、具体的には、無線ＬＡＮ、Ｗｉ−Ｆｉ、ＢｌｕｅＴｏｏｔｈ（登録商標）等を用いるものとする。また、外部照明機器２０（室内照明機器）は、上記の通信媒体や通信プロトコルによる近距離無線通信機能を有する調光用のリモコン装置からの制御信号により照明状態を変化させる。この制御信号は、照明をＯＮ／ＯＦＦするための送信データ、照明の強度を調整するための送信データ、照明の色合いを調整するための送信データ、外部照明機器２０（室内照明機器）の照明特性を取得するための受信データ（応答信号）、外部照明機器２０（室内照明機器）の照明状態を取得するための受信データ（応答信号）などの各種送受信データの仕様や体系が予め決められているものである。撮像装置１０は、調光用のリモコン装置と外部照明機器２０（室内照明機器）との間で決められた制御信号の種類（送受信データの仕様や体系）と同じ種類の制御信号を用いて、外部照明機器２０側に対して照明条件に対応する制御信号（送信データ）を送信し、外部照明機器２０からその応答信号（受信データ）を受信する。
【００３０】
照度センサ１７は、周囲の明るさを感知する照度計であり、例えば、フォトダイオードで構成される。ここでは、外部照明機器２０に対して近距離無線通信部１６経由で制御信号を送信したにもかかわらず照明条件の変更に失敗した場合に、感知した外部照明機器２０の照明状態（照度）と、指定された照明条件との比較により照明状態の変更に失敗したか否かの判定のために用いられる。
【００３１】
なお、電源部１８は、二次電池であり、バス１９に接続される制御部１１，記憶部１２，撮像部１３，表示部１４，操作部１５，近距離無線通信部１６，照度センサ１７に駆動電力を供給する。
【００３２】
（第１実施形態の動作）
以下、図４の動作フローチャートを参照しながら、図１〜図３の本実施形態による撮像装置１０の撮影処理動作について詳細に説明する。
【００３３】
まず、制御部１１は、表示部１４に、複数の撮影シーンに対応する見本画像または説明文を一覧表示し、撮影者に所望の撮影シーンの選択入力を促す（ステップＳ１０１）。撮影者が操作部１５を操作して所望の撮影シーンを選択すると（ステップＳ１０２“Ｙｅｓ”）、制御部１１は、記憶部１２を参照し、撮影シーン−選択条件対応テーブル１２ａから、選択された撮影シーンに対応する撮影条件を取得する（ステップＳ１０３）。
【００３４】
続いて、制御部１１は、取得した撮影条件に含まれるカメラ条件にしたがい、露出値、ホワイトバランス値等を設定する（ステップＳ１０４）。そして、制御部１１は、取得した撮影条件に照明条件が含まれていれば（ステップＳ１０５“Ｙｅｓ”）、その照明条件に対応して外部照明機器２０の照明状態を設定する照明制御信号を生成し、近距離無線通信部１６を介して外部照明機器２０に対して送信する（ステップＳ１０６）。
【００３５】
ここで、制御部１１は、所定時間待機し（ステップＳＳ１０７“Ｙｅｓ”）、近距離無線通信部１６を介して外部照明機器２０からその応答信号（照明状態の変更制御の成功を示す信号）を受信すると（ステップＳ１０８“Ｙｅｓ”）、あるいは、ステップＳ１０５で取得した撮影条件に照明条件が含まれない場合（ステップＳ１０５“Ｎｏ”）、制御部１１は、撮影指示の有無を判定し（ステップＳ１１１）、撮影者が操作部１５を操作することによる撮影指示があれば（ステップＳ１１１“Ｙｅｓ”）、設定された撮影条件で撮影により取得される被写体像を記憶部１２の画像記憶領域に記録して撮影処理を終了する（ステップＳ１１２）。
【００３６】
一方、ステップＳ１０８で、近距離無線通信部１６を介して外部照明機器２０からその応答信号（照明状態の変更制御の失敗を示す信号）を受信すると（ステップＳ１０８“Ｎｏ”）、制御部１１は、記憶部１２の所定の領域に記憶された撮影シーン−撮影条件対応テーブル１２ａから、照明制御不可の場合（照明制御失敗時）のカメラ条件を取得し（ステップＳ１０９）、ここで取得したカメラ条件に従い、露出値やホワイトバランス調整値等を撮像装置１０側で再設定する（ステップＳ１１０）。すなわち、制御部１１は、外部照明機器２０に対して照明制御信号を送信したにもかかわらず、外部照明機器２０の所望の照明状態の変更に失敗した場合、照明条件を変化させる代わりに自身（撮像装置１０）の撮影条件を変化させる制御を行う。
【００３７】
そして、撮影者による撮影指示の有無を判定し（ステップＳ１１１）、撮影者が操作部１５を操作して撮影指示があれば（ステップＳ１１１“Ｙｅｓ”）、設定された撮影条件で撮影により取得される被写体像を記憶部１２の画像記憶領域に記録して撮影処理を終了する（ステップＳ１１２）。
【００３８】
（第１実施形態の効果）
上記したように第１実施形態による撮像装置１０によれば、家の天井などに取り付けられて室内を定常的に照らすことが可能な室内照明機器であり、通常は、調光用のリモコン装置によって室内用に設定されている室内照明機器の照明状態を、撮像装置１０による撮影時には、自動的に撮影用の照明状態に変更することができるので、利用者が撮影時に調光用のリモコン装置を操作する手間を省けるとともに、より確実に撮影時の照明状態を設定することが可能となる。
また、第１実施形態による撮像装置１０によれば、複数の撮影シーンの一つを選択すると、カメラ条件だけでなく照明条件も設定されるので、撮影者は、撮影時に照明条件を含む撮影条件を容易に設定することが可能になる。また、制御部１１は、外部照明機器２０との間の通信により取得される、外部照明機器２０側で設定された照明条件を装置側（撮像装置１０）での撮影条件に反映させる制御を行うことにより、例えば、室内照明の調光、調色を被写体に応じて自動的に制御することができる。すなわち、室内での撮影で明るさが足りない場合に外部照明機器２０による照明状態を自動制御して明るさを補い、あるいは逆に明るさが不要な場合に暗くすることができる。また、室内のイメージや嗜好に合わせて照明色を選択することができ、被写体に適した色（例えば、昼光色、昼白色、電球色）での調色が可能になる。
【００３９】
また、第１実施形態による撮像装置１０によれば、制御部１１（制御手段）は、選択された撮影シーンに対応する撮影条件に外部照明機器２０側で設定される照明条件を反映する制御を行うにあたり、外部照明機器２０に対し、外部照明機器２０の照明状態を照明条件に設定するための制御信号を送信する。また、撮影シーンの１回の選択で、撮影条件と照明条件とを同時に変化させる制御を行う。このように、本実施形態による撮像装置１０は、外部照明機器２０と通信を行うだけで、外部照明機器２０の調光状態、あるいは調色状態、またはその両方を撮像装置１０の撮影条件に反映させることができ、撮影者の嗜好に応じて撮影結果が得られる照明条件も含めた適切な撮影条件を容易に設定することができる。なお、調光状態は、例えば、露出調整により、調色状態は、例えば、ホワイトバランス調整により実現するものとする。
【００４０】
また、第１実施形態による撮像装置１０によれば、制御部１１（制御手段）は、撮影の結果に対して同様の効果を与える撮影条件と照明条件について、撮影シーンが選択されると、外部照明機器２０が、照明条件を変更可能な状態にあるか否かに応じて、撮影条件と照明条件のいずれを変化させるかを選択する制御を行う。したがって、撮像装置１０（制御部１１）が、外部照明機器２０に対して照明状態を変化させる制御信号を送信したにもかかわらず所望の照明状態の変更に失敗した場合、照明条件を変化させる代わりに撮影条件を変化させる、照明制御不可時の代替制御が可能である。なお、外部照明機器２０の照明状態の変更に失敗したか否かは、外部照明機器２０の照明状態を照明条件に設定するための制御信号の送信に応答して外部照明機器２０から送信される制御の成功を示す信号を受信したか否かにより、あるいは、外部照明機器２０による照明状態を検出する照度センサ１７（検出手段）によって検出された照明状態と照明条件とを比較することにより判定が可能である。
【００４１】
また、第１実施形態による撮像装置１０によれば、制御部１１（制御手段）は、被写体の形状にあわせた外部光源の反射状態を再現するのが好ましい撮影シーンについいては、他の撮影シーンよりも照明条件を優先的に変化させて撮影条件を所望の状態に制御する。このため、例えば、撮影シーンとして「食べ物」が選択された場合、設定される撮影条件に含まれるカメラ条件と照明条件とにしたがい、その被写体が美味しそうに写り、例えば、リンゴ等の艶々した感じが増す。
【００４２】
なお、撮影シーンとして、「文字（紙面）」が選択された場合は、輪郭が明瞭になって見易くなり、文字（ホワイトボード）が選択された場合は、光の反射が低減される。又、人物（顔検出）が選択つれた場合は、キヤッチライト等により眼がキラキラして人物が活き活きし、「人物（寝顔検出）」が選択された場合は、寝ている人を起こさないようにして撮影が可能である。また、「キャンドルライト」が選択された場合は、夜の室内の雰囲気を出すことができ、「セピア」を選択すると、昔の写真のような雰囲気を出した撮影が可能である。また、上記実施形態では、複数の撮影シーンの一つを撮影者が手動で選択しているが、例えば、ライブビュー表示中に撮像されるライブビュー画像を解析して人物が写っていれば人物シーンであると認識するなどの方法により、撮影シーンを自動選択するようにしてもよい。
【００４３】
また、第１実施形態においては、図４のステップＳ１１２で撮影記録を行った後に処理を終了しているが、撮影記録を行った後に外部照明機器の照明状態を撮影用の照明状態に変更する前の元の室内用の照明状態に戻すようにしてもよい。
つまり、ステップＳ１０６で照明制御信号を送信する前に、外部照明機器から照明状態の情報を取得し、この取得した照明状態の情報をメモリに記憶しておき、ステップＳ１１２で撮影記録を行った後にメモリに記憶していた元の照明状態の情報を読み出して、再び元の照明状態に変更するための照明制御信号を外部照明機器に対して送信する。
このようにすれば、撮影のために元々設定されていた室内用の照明状態が変化してしまう期間を短縮することができ、また、室内用の照明状態に戻すためのユーザ操作が不要になる。
【００４４】
また、照明条件の決定に際しては、照明用のストロボ（撮影専用の発光手段）が発光する色温度と同じ色温度となるように、照明条件を決定するようにしてもよい。
このようにすれば、照明用のストロボ（撮影専用の発光手段）と外部照明機器２０（室内照明機器）の両方で同時に被写体を照明する場合であっても、被写体の色温度が部分的に異なるなどの違和感をなくすことができる。
【００４５】
Ｂ．変形例
次に、本発明の変形例について説明する。
上記第１実施形態においては、外部照明機器２０（室内照明機器）は、双方向通信が可能なＢｌｕｅ−Ｔｏｏｔｈ（登録商標）や無線ＬＡＮ、あるいはＷｉ−Ｆｉ等の近距離無線通信機能を備えているものとしたが、必ずしも外部照明機器２０（室内照明機器）が双方向通信可能であるとは限らない。
本発明の変形例では、リモコン装置で家電を制御する場合により一般的な、赤外線（IR）や電磁波（RF）を用いた単一方向の通信機能を備えた外部照明機器２０（室内照明機器）を含めた様々な種類の外部照明機器２０（室内照明機器）に対応できるようにする。
【００４６】
（変形例の構成）
以下、上記第１実施形態と異なる構成部分のみ説明する。
本発明の変形例において、近距離無線通信部１６は、複数の異なる外部照明機器２０（室内照明機器）が通信に用いる複数種類の通信媒体、複数種類の通信プロトコル、複数種類の制御信号（仕様や体系）に対応可能であり、制御対象となる外部照明機器２０（室内照明機器）の通信仕様に応じて通信媒体、通信プロトコル、制御信号の種類（仕様や体系）を選択して調光用の制御信号（送受信データ）の送受信を行う。この選択可能な通信媒体や通信プロトコルには、一般的な家電で利用されるのと同様な、赤外線（IR）や電磁波（RF）を用いた単一方向の通信によるリモコン制御方法が含まれる。
【００４７】
制御部１１は、通信媒体、通信プロトコル、制御信号の種類を変えながら周囲に存在する外部照明機器２０（室内照明機器）との通信を試みることで、照明状態を制御可能な外部照明機器２０（室内照明機器）の存在の有無や数、照明状態の制御に用いる通信媒体、通信プロトコル、制御信号の種類を特定する機能を有する。
【００４８】
制御部１１は、特定された通信媒体、通信プロトコル、制御信号の種類に基づいて制御信号（送受信データ）の送受信を行うように近距離無線通信部１６を制御する。
【００４９】
制御部１１は、照明状態を制御可能な外部照明機器２０（室内照明機器）から照明の特性に関する特性情報を含む制御信号（受信データ）を受信することにより、外部照明機器２０（室内照明機器）の照明特性を特定する。この照明特性には、照明の強度や色合いの調整の可否、固定された照明強度や色合い、調整可能な照明強度や色合いの調整範囲などの特性を含む。
【００５０】
制御部１１は、複数の外部照明機器２０（室内照明機器）の各々から受信した特性情報に基づいて、制御対象となる外部照明機器２０（室内照明機器）の選択や、撮影条件に含まれる照明条件の設定を行う。
【００５１】
（変形例の動作）
以下、図４、図５の動作フローチャートを参照しながら、変形例による撮像装置１０の撮影処理動作について説明する。
変形例においても第１実施形態と共通した処理が含まれるため、図５の動作フローチャートは、特に第１実施形態（図４のフローチャート）と異なる処理を行う部分についてのみ記載している。
まず最初に、制御部１１は、上記第１実施形態と同様に図４のフローチャートにおけるステップＳ１０１からステップＳ１０５までの処理を実行する。
【００５２】
次に、図５のフローチャートに移り、制御部１１は、通信媒体、通信プロトコルの種類を変えながら外部照明機器２０（室内照明機器）との通信を試み（ステップＳ２０１）、各々の通信媒体や通信プロトコルに応答する外部照明機器（室内照明機器）が存在するか否かを判断する（ステップＳ２０２）。
【００５３】
そして、制御部１１は、応答する外部照明機器が存在しないと判断した場合には(ステップＳ２０２“Ｎｏ”）、ステップＳ２０６に進み、応答する外部照明機器が存在すると判断した場合には(ステップＳ２０２“Ｙｅｓ”）、応答があった外部照明機器２０（室内照明機器）に対して、その特性情報を取得するための制御信号を送信し（ステップＳ２０３）、この制御信号（送信データ）の送信に応じて外部照明機器２０（室内照明機器）から送信されてくる制御信号（受信データ）に含まれる特性情報を取得する（ステップＳ２０４）。
【００５４】
そして、制御部１１は、外部照明機器２０（室内照明機器）との通信の成否や取得した特性情報に基づいて、双方向の通信機能により照明状態を制御可能な外部照明機器２０（室内照明機器）の存在の有無や数、およびそれらの照明特性を特定する（ステップＳ２０５）。
【００５５】
また、制御部１１は、双方向の通信機能を持たない外部照明機器２０（室内照明機器）の存在の有無や数、およびそれらの照明特性を特定するために以下の処理を行う。
つまり、制御部１１は、制御信号の種類を変えながら外部照明機器２０（室内照明機器）の照明をＯＮ／ＯＦＦする制御信号や、照明の明るさや色合いを調整範囲内の端から端まで変化させるような制御信号を送信し（ステップＳ２０６）、この制御信号の送信に応じて撮像部１３により撮像される撮影画像の明るさや色合いの変化の有無や程度を確認する（ステップＳ２０７）。
【００５６】
そして、制御部１１は、撮影画像の明るさや色合いが変化していないと判断した場合には（ステップＳ２０７“Ｎｏ”）、ステップＳ２０９に進み、撮影画像の明るさや色合いが変化していると判断した場合には（ステップＳ２０７“Ｙｅｓ”）、上記確認結果に応じて、単一方向の通信機能により照明状態を制御可能な外部照明機器２０（室内照明機器）の存在の有無や数、およびそれらの照明特性を特定する（ステップＳ２０８）。
【００５７】
次に、制御部１１は、特定された各外部照明機器２０（室内照明機器）の照明特性に基づいて、照明条件が示す照明状態を得るために最も適した１または複数の外部照明機器２０（室内照明機器）を選択する（ステップＳ２０９）。
【００５８】
そして、制御部１１は、選択された１または複数の外部照明機器２０（室内照明機器）からの照明を合わせた照明状態が、照明条件が示す照明状態となるように、選択された１または複数の外部照明機器２０（室内照明機器）に対して、それぞれに対応した種類の通信媒体、通信プロトコル、および制御信号を用いて、それぞれの照明状態を設定するための制御信号を送信する（ステップＳ２１０）。
【００５９】
その後、再び図４のフローチャートに移り、制御部１１は、上記第１実施形態と同様に図４のフローチャートにおけるステップＳ１１１およびステップＳ１１２の処理を実行する。
【００６０】
なお、この変形例においては、上記第１実施例とは異なり、照明条件が示す照明状態にすることが可能な１または複数の外部照明機器２０（室内照明機器）を予め選択しているため、図４のフローチャートにおけるステップＳ１０７からステップＳ１１０までの処理を実行する必要は無い。しかしながら、照明状態を制御可能な全ての外部照明機器２０（室内照明機器）の照明を合わせても、照明条件が示す照明状態にすることが不可能な場合には、図４のフローチャートにおけるステップＳ１０９やステップＳ１１０で行ったのと同様にしてカメラ条件を変更するようにしてもよい。
【００６１】
（変形例の効果）
上記したように変形例による撮像装置１０によれば、通信媒体、通信プロトコル、制御信号の種類の異なる複数の外部照明機器２０（室内照明機器）に対応できるので、撮影時の照明状態をより柔軟に設定することが可能になる。
【００６２】
また、上記変形例においては、照明状態を制御可能な各外部照明機器２０（室内照明機器）の照明特性を特定し、この特定された照明特定に応じて照明条件が示す照明状態を得るために最も適した１または複数の外部照明機器２０（室内照明機器）を選択するので、撮影時の照明状態をより柔軟かつ確実に設定することが可能になる。
【００６３】
また、上記変形例においては、制御信号の種類を変えながら外部照明機器２０（室内照明機器）の照明をＯＮ／ＯＦＦする制御信号や、照明の明るさや色合いを調整範囲内の端から端まで変化させるような制御信号を送信し、この制御信号の送信に応じて撮像部１３により撮像される撮影画像の明るさや色合いの変化の有無や程度を確認し、この確認結果に応じて、外部照明機器２０（室内照明機器）の存在の有無や数、およびそれらの照明特性を特定するので、双方向の通信機能を有する外部照明機器２０（室内照明機器）だけでなく、単一方向の通信機能を有する外部照明機器２０（室内照明機器）を含めて、より柔軟かつ確実に撮影時の照明状態を設定することが可能になる。
【００６４】
なお、上記変形例における照明条件の決定に際しては、外部照明機器２０（室内照明機器）により調整可能な照明の強度が強いほど、照明用のストロボ（撮影専用の発光手段）による発光の強度を減らすようにしてもよい。
このようにすれば、照明用のストロボ（撮影専用の発光手段）による照明の強度が強いことによって被写体の明るさが部分的に異なるような違和感を低減することができる。
【００６５】
以上、本発明の好ましい実施形態について詳述したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【００６６】
以下に、本願出願時の特許請求の範囲を付記する。
［請求項１］
撮像手段を備えた撮像装置であって、
前記撮像手段による撮影を行う際の撮影条件を設定する設定手段と、
任意に設定された照明状態で室内を定常的に照らすことが可能であり、所定の制御装置から送信される所定の制御信号により照明状態を遠隔操作することが可能な室内照明機器に対し、前記所定の制御装置から送信される前記所定の制御信号と同じ種類の制御信号を送信する送信手段と、
を備え、
前記設定手段は、前記撮像手段による撮影を行う前に前記送信手段により前記所定の制御信号を送信させることで、それ以前に設定されていた前記室内照明機器の室内用の照明状態を撮影用の照明状態に変更することを特徴とする撮像装置。
［請求項２］
撮影専用の発光手段の発光を制御する発光制御手段を更に備え、
前記設定手段は、前記撮像手段による撮影を行う際の撮影条件として、前記送信手段により制御される前記室内照明機器の照明状態と、前記発光制御手段により制御される前記撮影専用の発光手段の発光の有無を設定することを特徴とする請求項１記載の撮像装置。
［請求項３］
前記設定手段は、非撮影時に設定されている前記室内照明機器の室内用の照明状態を、前記撮像手段による撮影時に一時的に撮影用の照明状態に変更した後、再び室内用の照明状態に戻すことを特徴とする請求項１または２記載の撮像装置。
［請求項４］
前記送信手段により照明状態を制御可能な室内照明機器の有無を判断する第１の判断手段と、
前記設定手段は、前記第１の判断手段の判断結果に応じて撮影条件を設定することを特徴とする請求項１〜３のいずれか１項記載の撮像装置。
［請求項５］
前記送信手段が送信した制御信号に応答して室内照明機器の照明状態が変化したか否かを判断する第２の判断手段と、
前記設定手段は、前記第２の判断手段の判断結果に応じて撮影条件を設定することを特徴とする請求項１〜４のいずれか１項記載の撮像装置。
［請求項６］
前記送信手段が送信した制御信号に応答して変化した室内照明機器の照明状態を特定する照明状態特定手段と、
前記設定手段は、前記照明状態特定手段により特定された照明状態に応じて撮影条件を設定することを特徴とする請求項１〜５のいずれか１項記載の撮像装置。
［請求項７］
前記送信手段は、照明状態を制御するための制御信号の種類が異なる複数の室内照明機器に対応して、複数種類の制御信号を送信可能であることを特徴とする請求項１〜６のいずれか１項記載の撮像装置。
［請求項８］
周囲に存在する室内照明機器が対応する制御信号の種類を特定する種類特定手段を更に備え、
前記送信手段は、前記種類特定手段により特定された種類の制御信号を送信することを特徴とする請求項７記載の撮像装置。
［請求項９］
前記種類特定手段により特定された種類の制御信号を前記送信手段により送信可能か否かを判断する第３の判断手段を更に備え、
前記設定手段は、前記第３の判断手段の判断結果に応じて撮影条件を設定する送信することを特徴とする請求項８記載の撮像装置。
［請求項１０］
室内照明機器の照明特性を特定する特性特定手段を更に備え、
前記設定手段は、前記特性特定手段により特定された照明特性に応じて撮影条件を設定することを特徴とする請求項１〜９のいずれか１項記載の撮像装置。
［請求項１１］
前記特性特定手段は、前記照明特性として、室内照明機器により調整可能な照明状態の調整範囲を特定し、
前記設定手段は、前記特性特定手段により特定された調整範囲に応じて撮影条件を設定することを特徴とする請求項１０記載の撮像装置。
［請求項１２］
前記特性特定手段は、照明の強度の調整範囲および照明の色合いの調整範囲を特定することを特徴とする請求項１１記載の撮像装置。
［請求項１３］
前記設定手段は、前記発光手段の発光の色合いに対応する色合いとなるように前記室内照明機器の照明の色合いを設定することを特徴とする請求項２記載の撮像装置。
［請求項１４］
前記設定手段は、前記室内照明機器の照明の強度に応じて、前記発光手段の発光の強度を設定することを特徴とする請求項２記載の撮像装置。
［請求項１５］
前記送信手段が制御信号を送信する前に設定されていた前記室内照明機器の室内用の照明状態を取得する照明状態取得手段を更に備え、
前記設定手段は、前記室内照明機器の照明状態を前記撮影用の照明状態に変更した後、前記照明状態取得手段により取得された室内用の照明状態に戻すことを特徴とする請求項１〜１４のいずれか１項記載の撮像装置。
［請求項１６］
前記撮影条件には、撮像装置側で設定するカメラ条件と、前記室内照明機器側で設定する照明条件とが含まれ、
前記設定手段は、複数の撮影シーンの一つを選択することで、選択された撮影シーンに対応する撮影条件に含まれるカメラ条件を撮像装置側に設定するとともに、当該撮影条件に含まれる照明条件に対応する制御信号を前記送信手段により室内照明機器に送信する
ことを特徴とする請求項１〜１５のいずれか１項記載の撮像装置。
［請求項１７］
前記設定手段は、複数の撮影シーンの各々に対応させて、カメラ条件と照明条件を含む複数の撮影条件を予め記憶し、この記憶されている複数の撮影シーンの一つを選択することで、選択された撮影シーンに対応して記憶されている撮影条件に含まれるカメラ条件と照明条件を設定することを特徴とする請求項１６記載の撮像装置。
［請求項１８］
前記設定手段により選択された撮影シーンに対応する撮影条件を設定する際に、前記送信手段が制御信号を送信することにより前記室内照明機器側で設定された照明条件または設定可能であると予測される照明条件を撮像装置側で設定するカメラ条件に反映させる制御を行う制御手段を更に備えることを特徴とする請求項１６または１７記載の撮像装置。
［請求項１９］
前記制御手段は、前記設定手段により選択された撮影シーンに対応する撮影条件を設定する際に、前記送信手段が制御信号を送信することにより前記室内照明機器側で設定された照明条件または設定可能であると予測される照明条件が、選択された撮影シーンに対応する撮影条件に含まれる照明条件と一致するか否かに応じて、選択された撮影シーンに対応する撮影条件に含まれるカメラ条件を調整することを特徴とする請求項１８記載の撮像装置。
［請求項２０］
前記設定手段は、所定の撮影シーンに対応する撮影条件として、前記送信手段が制御信号を送信することにより前記室内照明機器の照明制御が可能な場合の第１カメラ条件と、前記送信手段が制御信号を送信することにより前記室内照明機器の照明制御が不可能な場合の第２カメラ条件を予め記憶し、
前記制御手段は、前記設定手段により選択された撮影シーンに対応する撮影条件を設定する際に、前記送信手段が制御信号を送信することにより前記室内照明機器側で設定された照明条件または設定可能であると予測される照明条件が、選択された撮影シーンに対応する撮影条件に含まれる照明条件と一致する場合は前記第１カメラ条件を選択し、一致しない場合は前記第２カメラ条件を選択することでカメラ条件を調整することを特徴とする請求項１９記載の撮像装置。
［請求項２１］
前記設定手段は、
前記撮影シーンの１回の選択で、前記カメラ条件と前記照明条件とを同時に設定することを特徴とする請求項１６〜２０のいずれか１項記載の撮像装置。
［請求項２２］
前記設定手段は、
前記照明条件として、前記室内照明機器の調光状態、あるいは調色状態、またはその両方を設定することを特徴とする請求項１６〜２１のいずれか１項記載の撮像装置。
［請求項２３］
前記カメラ条件は、
少なくとも、露出調整およびホワイトバランス調整を含むことを特徴とする請求項１６〜２２のいずれか１項記載の撮像装置。
［請求項２４］
前記制御手段は、
撮影の結果に対して同様の効果を与える前記カメラ条件と前記照明条件について、前記撮影シーンが選択されると、前記室内照明機器が、前記照明条件を変更可能な状態にあるか否かに応じて、前記カメラ条件と前記照明条件のいずれを変化させるかを選択する制御を行うことを特徴とする請求項１６〜２３のいずれか１項記載の撮像装置。
［請求項２５］
前記制御手段は、
前記室内照明機器に制御信号を送信したにもかかわらず所望の照明状態の変更に失敗した場合、前記照明条件を変化させる代わりに前記カメラ条件を変化させる制御を行うことを特徴とする請求項２４記載の撮像装置。
［請求項２６］
前記照明状態を検出する検出手段を更に備え、
前記制御手段は、
前記検出手段によって検出された照明状態と、前記照明条件とを比較して前記照明状態の変更に失敗したか否かを判定することを特徴とする請求項２５記載の撮像装置。
［請求項２７］
前記制御手段は、
前記室内照明機器の照明状態を前記照明条件に設定するための制御信号の送信に応答して前記外部照明機器から送信される前記制御の成功を示す信号を受信したか否かによって前記照明状態の変更に失敗したか否かを判定することを特徴とする請求項２５記載の撮像装置。
［請求項２８］
前記制御手段は、
被写体の形状にあわせた外部光源の反射状態を再現するのが好ましい撮影シーンについては、他の撮影シーンよりも照明条件を優先的に変化させて撮影条件を所望の状態に制御することを特徴とする請求項１６〜２７のいずれか１項記載の撮像装置。
［請求項２９］
撮像手段を備えた撮像装置における撮影条件設定方法であって、
前記撮像手段による撮影を行う際の撮影条件を設定する設定処理と、
任意に設定された照明状態で室内を定常的に照らすことが可能であり、所定の制御装置から送信される所定の制御信号により照明状態を遠隔操作することが可能な室内照明機器に対し、前記所定の制御装置から送信される前記所定の制御信号と同じ種類の制御信号を送信する送信処理と、
を備え、
前記設定処理は、前記撮像手段による撮影を行う前に前記送信処理により前記所定の制御信号を送信させることで、それ以前に設定されていた前記室内照明機器の室内用の照明状態を撮影用の照明状態に変更することを特徴とする撮影条件設定方法。
［請求項３０］
撮像手段を備えた撮像装置のコンピュータを、
前記撮像手段による撮影を行う際の撮影条件を設定する設定手段と、
任意に設定された照明状態で室内を定常的に照らすことが可能であり、所定の制御装置から送信される所定の制御信号により照明状態を遠隔操作することが可能な室内照明機器に対し、前記所定の制御装置から送信される前記所定の制御信号と同じ種類の制御信号を送信する送信手段と、
して機能させ、
前記設定手段は、前記撮像手段による撮影を行う前に前記送信手段により前記所定の制御信号を送信させることで、それ以前に設定されていた前記室内照明機器の室内用の照明状態を撮影用の照明状態に変更することを特徴とするプログラム。
【符号の説明】
【００６７】
１０…撮像装置、１１…制御部、１２…記憶部、１２ａ…撮影シーン−撮影条件対応テーブル、１３…撮像部、１４…表示部、１５…操作部、１６…近距離無線通信部、１７…照度センサ、１８…電源部、１９…バス、２０…外部照明機器、３０…近距離無線通信
【図１】
2014197162.tif 000003
【図２】
2014197162.tif 000004
【図３】
2014197162.tif 000005
【図４】
2014197162.tif 000006
【図５】
2014197162.tif 000007